(57)【特許請求の範囲】
【請求項１】
軒先取付部と、この軒先取付部から屋外側に向けて突設された支持部材とからなる軒樋吊具に枯葉よけネットが取り付けられた枯葉よけネット取付構造であって、
前記支持部材は、屋外側耳保持部と、屋内側耳保持部と、屋外側耳保持部と屋内側耳保持部を一連に繋ぐ腕部とからなり、この腕部には、長手方向に沿って上方に向けて突設された係止突部が一体に設けられ、この係止突部に枯葉よけネットが円筒形に丸められて取り付けられていることを特徴とする枯葉よけネット取付構造。
【発明の詳細な説明】
【０００１】
【発明の属する技術分野】
本発明は、軒樋への枯葉やゴミ等の侵入防止に使用される枯葉よけネット取付構造に関する
【０００２】
【従来の技術】
従来、軒樋へ枯葉やゴミが入って、軒樋が詰まり、軒樋から雨水が溢れだしたりすることがあり、軒樋へ枯葉やゴミが入るのを防ぐ方法としては、市販されている丸ネットを使う方法と、実開昭６３−１２７５３４号公報に記載されている枯葉よけネットと引掛片付きの受け具を使う方法等とがある。
【０００３】
前者の市販品のものは、軒樋施工前に予め軒樋吊具に銅線を付けておき、軒樋施工後、軒樋の径より小さく丸めた枯葉よけネットを軒樋の中に差し込んで、この枯葉よけネットを軒樋吊具に取り付けられた銅線で巻いて止めるもので、簡単なものである。
後者のものは、軒樋の両側の耳部に引掛片付きの受け具を取り付け、両側の引掛片間に軒樋の上面開口を覆う枯葉よけネットを取り付けるものである。
【０００４】
【発明が解決しようとする課題】
しかしながら、上記の市販品のものは、軒樋吊具に取り付けられた銅線で枯葉よけネットを巻いて止めるもので、軒樋吊具毎に、銅線で枯葉よけネットを巻くのに手間が掛かったり、枯葉よけネットに溜まった枯葉やゴミを取り除くのに手間が掛かったり、枯葉よけネットを巻いた銅線が下方から見えることがあり、美観が悪いという問題があった。
又、実開昭６３−１２７５３４号公報に記載されているものは、高所の見えにくいところで、受け具を軒樋の両側の耳部の嵌着したり、引掛片に枯葉よけネットを取り付けることは手間がかかり、取付工数がかかる。
【０００５】
近年、軒樋のデザインが変わり、屋外側側壁を屋内側側壁より高くして、屋外側壁の上部を屋内側に傾斜させた軒樋が多く使われており、これらの軒樋を使うと、屋外側壁の先端と軒先との間の距離が短くなっている。
このような軒樋に対して、実開昭６３−１２７５３４号公報に記載のものを使うと、軒樋の屋外側側壁先端と軒先との間が狭いため、軒樋の両側の耳部に引掛片付きの受け具を取り付け、両側の引掛片間に軒樋の上面開口を覆う枯葉よけネットを取り付けるは手間が掛かるという問題があった。又、軒樋の両側の耳部で受け具の端部に取り付けているため、受け具及び枯葉よけネットの端部が下方から見えることがあり、美観が悪いという問題があった。
【０００６】
本発明の目的は、上記問題に着目してなされたもので、取付が簡単で、手間取らず、美観が良い枯葉よけネット取付構造を提供するものである。
【０００７】
【課題を解決するための手段】
本発明は上記の目的を達成するためになされたもので、本発明は、軒先取付部と、この軒先取付部から屋外側に向けて突設された支持部材とからなる軒樋吊具に枯葉よけネットが取り付けられた枯葉よけネット取付構造であって、支持部材は、屋外側耳保持部と、屋内側耳保持部と、屋外側耳保持部と屋内側耳保持部を一連に繋ぐ腕部とからなり、この腕部には、長手方向に沿って上方に向けて突設された係止突部が一体に設けられ、この係止突部に枯葉よけネットが円筒形に丸められて取り付けられているものである。
【０００８】
本発明の軒樋吊具の材質は、合成樹脂、金属等が使用されるが、軽量、防錆、耐久性の点で合成樹脂がよく、合成樹脂の中でも、ポリカーボネート樹脂、又は、硬質塩化ビニル樹脂が好ましい。又、軒樋吊具と係止突部とは、射出成形法で一体に製造すると、美観の点で、好ましい。
【０００９】
本発明の枯葉よけネットの材質は、合成樹脂、金属等が使用されるが、軽量、防錆、耐久性の点で合成樹脂がよく、合成樹脂の中でも、高密度ポリエチレン樹脂、又は、硬質塩化ビニル樹脂が好ましい。
【００１０】
本発明の係止突部の形状は軒樋吊具に設けられ、枯葉よけネットを取り付けることができれば、適宜な形状でよく、例えば、支持部材の腕部のほぼ中央部に長手方向に沿って係止突部を設け、この係止突部の形状を開口部が上方に向けた半円形の小帯状体にし、この半円形の小帯状体の両端先端部を互いに内側に向けてほぼ水平に折り曲げて係止爪を設けておくと、枯葉よけネットを丸めて開口部より半円形の係止突部に嵌め、丸めた枯葉よけネットを元に戻すことによって、枯葉よけネットの両端部を係止突部の両端部の係止爪で引っ掛けることができ、軒樋吊具に枯葉よけネットをしっかりと取り付けることができるので、好ましい。
【００１１】
又、別の方法として、係止突部の形状を小帯状体のリング状にしてもよく、枯葉よけネットを丸めて横方向よりリング状の係止突部に差し込み、丸めた枯葉よけネットを元に戻すと枯葉よけネットはリング状の係止突部の中に入り、軒樋吊具に枯葉よけネットをしっかりと取り付けることができるので、好ましい。
【００１２】
又、枯葉よけネットの形状は、ネット状で小さく丸めることができ、緩めたら、元に戻ることができるものであれば、適宜な形状でよく、例えば、枯葉よけネットを円筒形にして、円周の一部に長手方向に沿って開口部を設けたものにしておくと、丸めて係止突部に取り付け、緩めたら、元に戻って、係止突部で枯葉よけネットを係止することができ、枯葉よけネットの上部が軒先の先端部に当接し、軒先の先端部と軒樋吊具の屋外側先端部より枯葉やゴミ等が軒樋の中に入ることを防ぐことができ、枯葉よけネットに枯葉やゴミが溜まっても、枯葉やゴミ等の重さを支え枯葉よけネットが変形せず、軒樋吊具への枯葉よけネットの取付も簡単にできるので、好ましい。
【００１３】
又、枯葉よけネットの軒樋吊具への取付個数は適宜でよく、例えば、枯葉よけネットを軒樋吊具と同じ個数付けてもよく、同じ個数でなくてもよい。同じ個数であると、より強固に枯葉よけネットが取り付けられるので、好ましい。又、同じ個数でなくても、しっかりと枯葉よけネットを軒樋吊具に取り付けられていれば、コスト削減にもなるので、好ましい。
【００１４】
（作用）
本発明は、支持部材は、屋外側耳保持部と、屋内側耳保持部と、屋外側耳保持部と屋内側耳保持部を一連に繋ぐ腕部とからなり、この腕部には、長手方向に沿って上方に向けて突設された係止突部が一体に設けられ、この係止突部に枯葉よけネットが円筒形に丸められて取り付けられているから、支持部材の腕部の係止突部に枯葉よけネットを円筒形に丸めて、枯葉よけネットの径を小さくして取り付け、元に戻すことによって、枯葉よけネットを係止突部の係止爪で枯葉よけネットを引っ掛けて、係止でき、枯葉よけネットを軒樋吊具にしっかりと取り付けることができる。
従って、従来の軒樋の両側の耳部に引掛片付きの受け具を取り付け、両側の引掛片間に軒樋の上面開口を覆う枯葉よけネットを取り付けるものに較べて、取付が簡単で、手間が省くことができる。
【００１５】
又、係止突部が取り付けられている場所が、いずれも軒樋の屋外側側壁の内側にある軒樋吊具の腕部であるので、この係止突部に枯葉よけネットを取り付けると、下方から係止突部と枯葉よけネットは見えず、枯葉よけネットを取り付けた後の美観が良い。
【００１６】
又、枯葉よけネットを円筒形に丸めて係止突部に取り付け、緩めたら、元に戻して、係止突部で枯葉よけネットを係止することができるから、取付後、枯葉よけネットの上部が軒先の先端部に当接し、軒先の先端部と軒樋吊具の屋外側先端部より枯葉やゴミ等が軒樋の中に入ることを防ぐことができる。
【００１７】
枯葉よけネットが円筒形になっているから、枯葉よけネットに枯葉やゴミが溜まっても、枯葉やゴミ等の重さを支え枯葉よけネットが変形せず、軒樋吊具への枯葉よけネットの取付も簡単にできる。
【００１８】
【発明の実施の形態】
本発明の一実施例を図１に基づいて説明する。
図１の（イ）は軒樋吊具の斜視説明図、（ロ）は枯葉よけネットの斜視説明図（ハ）は軒樋吊具を軒先に取り付け、軒樋吊具に枯葉よけネットと軒樋とを取り付けた状態を示す断面説明図である。
【００１９】
Ａは軒樋吊具１と枯葉よけネット２と軒樋３とからなる枯葉よけネット取付構造である。
軒樋吊具１はポリカーボネート樹脂製で、軒先取付部１１と、この軒先取付部１１から屋外側に向けて突設された支持部材１２とからなっている。
軒先取付部１１には、両端部に２個づつの取付孔１３が設けられ、ほぼ中央部上端部より屋外側に向けて支持部材１２が突設されている。
【００２０】
この支持部材１２は、屋外側先端部に屋外側耳保持部１４と、屋内側部に屋内側耳保持部１５と、屋外側耳保持部１４と屋内側耳保持部１５を一連に繋ぐ腕部１６とからなっている。この腕部１６のほぼ中央部に長手方向に沿って係止突部１７が設けられている。この係止突部１７は半円形の小帯状体で開口部１８が上方に向けられ、この半円形の小帯状体の両端先端部には、互いに内側に向けてほぼ水平に折り曲げられ、係止爪１９、１９が設けられている。
軒先取付部１１と支持部材１２と係止突部１７とは射出成型法で一体成型されている。
【００２１】
枯葉よけネット２は、硬質塩化ビニル樹脂製で、周縁部を除いて全体が網状で、円筒形になされ、この円周の一部に長手方向に沿って開口部２１が設けられている。
軒樋３は、硬質塩化ビニル樹脂製で、屋外側側壁と屋内側側壁と底板とからなっている。屋外側側壁の上端部に屋外側耳部３１と、屋内側側壁の上端部に屋内側耳部３２が設けられている。屋外側耳部３１に屋外側耳保持部１４が差し込まれ、屋内側耳部３２が屋内側耳保持部１５に差し込まれるようになされている。
【００２２】
次に、軒樋吊具１と枯葉よけネット２と軒樋３との取付方法及び作用について説明する。
軒先の鼻隠し板４に軒樋吊具１を所定位置に複数個取り付け、この複数個の軒樋吊具１の屋外側耳保持部１４に軒樋３の屋外側耳部３１を差し込み、屋外側耳部３１の軸を中心に回動させ、屋内側耳保持部１５に屋内側耳部３２を差し込み、順次軒樋吊具１に軒樋３を取り付ける。
次に、円筒形の枯葉よけネット２を丸め、枯葉よけネット２の径を小さくして、支持部材１２の腕部１６の係止突部１７に上方から嵌めて、枯葉よけネット２を元に戻し、枯葉よけネット２の両端部を係止突部１７の係止爪１９で枯葉よけネットを引っ掛けて、係止させ、枯葉よけネット２を軒樋吊具１にしっかりと取り付ける。
順次、複数個の軒樋吊具４に複数個の枯葉よけネット２を取り付ける。
【００２３】
このようにすると、支持部材１２は、屋外側耳保持部１４と、屋内側耳保持部１５と、屋外側耳保持部１４と屋内側耳保持部１５を一連に繋ぐ腕部１６とからなり、この腕部１６には、長手方向に沿って上方に向けて突設された係止突部１７が設けられ、枯葉よけネット２が腕部１６の係止突部１７に取り付けられているから、支持部材１２の腕部１６の係止突部１２に枯葉よけネット２を丸めて、枯葉よけネット２の径を小さくして取り付け、元に戻すことによって、枯葉よけネット２を係止突部１２の係止爪１９で枯葉よけネット２を引っ掛けて、係止でき、枯葉よけネット２を軒樋吊具１にしっかりと取り付けることができる。
従って、従来の軒樋の両側の耳部に引掛片付きの受け具を取り付け、両側の引掛片間に軒樋の上面開口を覆う枯葉よけネットを取り付けるものに較べて、取付が簡単で、手間が省くことができる。
【００２４】
又、係止突部１２が取り付けられている場所が、いずれも軒樋３の屋外側側壁の内側にある軒樋吊具１の腕部１６であるので、この係止突部１２に枯葉よけネット２を取り付けると、下方から係止突部１２と枯葉よけネット２は見えず、枯葉よけネット２を取り付けた後の美観が良い。
【００２５】
又、枯葉よけネット２を丸めて係止突部１２に取り付け、緩めたら、元に戻して、係止突部１２で枯葉よけネット２を係止することができるから、取付後、枯葉よけネット２の上部が軒先の先端部に当接し、軒先の先端部と軒樋吊具１の屋外側先端部より枯葉やゴミ等が軒樋３の中に入ることを防ぐことができる。
【００２６】
枯葉よけネット２が円筒形になっているから、枯葉よけネット２に枯葉やゴミが溜まっても、枯葉やゴミ等の重さを支え枯葉よけネット２が変形せず、軒樋吊具１への枯葉よけネット２の取付も簡単にできる。
【００２７】
次に、本発明の他の実施例を図２に基づいて説明する。
図２の（イ）は軒樋吊具の斜視説明図、（ロ）は軒樋吊具を軒先に取り付け、軒樋吊具の枯葉よけネットと軒樋とを取り付けた状態を示す断面説明図である。
本発明の実施例の構造と作用については、図１に示した一実施例とは、軒樋吊具の係止突部の形状が異なるだけで、その他の構造と作用については、ほとんど同様であり、構造と作用についての説明は省略する。
【００２８】
軒樋吊具１ａの支持部材１２ａは、屋外側先端部に屋外側耳保持部１４ａと、屋外側部に屋内側耳保持部１５ａと、屋外側耳保持部１４ａと屋内側耳保持部１５ａを一連に繋ぐ腕部１６ａとからなっている。
この腕部１６ａのほぼ中央部に長手方向に沿って係止突部１７ａが設けられている。この係止突部１７ａは小帯状体のリングになされ、リングの下端部が腕部１２ａに取り付けられている。
軒先取付部１１ａと支持部材１２ａと係止突部１７ａとは射出成型法で一体成型されている。
【００２９】
軒樋吊具１ａと枯葉よけネット２と軒樋３との取付方法及び作用についてはほとんど同じであり、異なるところは、円筒形の枯葉よけネット２を丸め、枯葉よけネット２の径を小さくして、支持部材１２ａの腕部１６ａの係止突部１７ａに横方から差し込んで、枯葉よけネット２を元に戻し、枯葉よけネット２を係止突部１７ａのリングで係止させる点である。
【００３０】
このようにすると、枯葉よけネット２を丸めて横方向よりリングに差し込み、丸めた枯葉よけネット２をもとに戻すと枯葉よけネット２はリングの中に入り、軒樋吊具１ａに枯葉よけネット２をしっかりと取り付けることができる。その他の作用については、ほとんど同じであるので、省略する。
【００３１】
次に、本発明に用いる枯葉よけネットの一例を図３に基づいて説明する。
図３の（イ）は円筒形の枯葉よけネットの編み目の交点に内側に向けて突設片が設けられた状態を示す断面説明図、（ロ）は隣り合った枯葉よけネットが重なり合った状態を示す断面説明図、（ハ）は隣り合った枯葉よけネットが重なり合った状態を示す斜視説明図である。
【００３２】
枯葉よけネット２ａは、硬質塩化ビニル樹脂製で、周縁部を除いて全体が網状で、円筒形になされ、この円周の一部に長手方向に沿って開口部２１ａが設けられ、枯葉よけネット２ａの編み目の交点に内側に向けて突設片２２が設けられている。
【００３３】
隣り合った枯葉よけネット２ａ、２ａを繋ぐ方法は、一方の枯葉よけネット２ａの端部に他方の枯葉よけネット２ａの端部を上方から被せ、一方の枯葉よけネット２ａの編み目の交点に内側に向けて設けられた突設片２２を他方の枯葉よけネット２ａの編み目に嵌めて、突設片２２を編み目に引っ掛けて行う。
【００３４】
このようにすると、隣り合った枯葉よけネット２ａ、２ａは突設片２２が編み目に引っ掛かり、風や積雪等で枯葉よけネット２ａをずらす様な力が働いても、しっかりと隣り合った枯葉よけネット２ａ、２ａが繋がれ、隣り合った枯葉よけネット２ａ、２ａ同士の間が開くということはなく、枯葉やゴミ等が軒樋に入るのを防ぐことができる。
又、従来の銅線等で結んで、隣り合った枯葉よけネットを繋いでいたものに較べて、手間を省くことができる。
【００３５】
次に、本発明の別の実施例を図４に基づいて説明する。
図４の（イ）は軒樋吊具の断面説明図、（ロ）は軒樋吊具を軒先に取り付け、軒樋吊具の枯葉よけネットと軒樋とを取り付けた状態を示す断面説明図である。
本発明の実施例の構造と作用については、図１に示した一実施例とは、軒樋吊具の係止突部の形状が異なるだけで、下記の構造を除いて、その他の構造と作用については、ほとんど同様であり、構造と作用についての説明は省略する。
【００３６】
軒樋吊具１ｂの支持部材１２ｂは、屋外側先端部に屋外側耳保持部１４ｂと、屋内側部に屋内側耳保持部１５ｂと、屋外側耳保持部１４ａと屋内側耳保持部１５ａを一連に繋ぐ腕部１６ｂとからなっている。
この腕部１６ｂのほぼ中央部に２個の係止突部１７ｂ、１７ｂが設けられ、これらの係止突部１７ｂ、１７ｂの先端部に係止爪１９ｂ、１９ｂが屋外側に向けて設けられている。
又、この係止突部１７ｂ、１７ｂ間の腕部１６ｂの上面と、係止突部１７ｂ、１７ｂの屋外側面とは、円筒形の枯葉よけネット２が当接し、円筒形の枯葉よけネット２に沿って円弧状になされている。
軒先取付部１１ｂと支持部材１２ｂと係止突部１７ｂ、１７ｂとは射出成型法で一体成型されている。
【００３７】
軒樋吊具１ｂと枯葉よけネット２と軒樋３との取付方法及び作用については、図１に示した一実施例とほとんど同じであるので、省略する。
【００３８】
次に、本発明の別の実施例を図５に基づいて説明する。
図５の（イ）は軒樋吊具の断面説明図、（ロ）は軒樋吊具を軒先に取り付け、軒樋吊具の枯葉よけネットと軒樋とを取り付けた状態を示す断面説明図である。
本発明の実施例の構造と作用については、図４に示した別の実施例とは、軒樋吊具の係止突部の先端部に設けられている係止爪の向きが異なるだけで、下記の構造を除いて、その他の構造と作用については、ほとんど同様であり、構造と作用についての説明は省略する。
【００３９】
軒樋吊具１ｃの支持部材１２ｃは、屋外側先端部に屋外側耳保持部１４ｃと、屋内側部に屋内側耳保持部１５ｃと、屋外側耳保持部１４ｃと屋内側耳保持部１５ｃを一連に繋ぐ腕部１６ｃとからなっている。
この腕部１６ｃのほぼ中央部に２個の係止突部１７ｃ、１７ｃが設けられ、これらの係止突部１７ｃ、１７ｃの先端部に係止爪１９ｃ、１９ｃが屋内側に向けて設けられている。
又、この係止突部１７ｃ、１７ｃ間の腕部１６ｃの上面と、係止突部１７ｃ、１７ｃの屋内側面とは、円筒形の枯葉よけネット２が当接し、円筒形の枯葉よけネット２に沿って円弧状になされている。
軒先取付部１１ｃと支持部材１２ｃと係止突部１７ｃ、１７ｃとは射出成型法で一体成型されている。
【００４０】
軒樋吊具１ｃと枯葉よけネット２と軒樋３との取付方法及び作用については、図４に示した別の実施例とほとんど同じであるので、省略する。
【００４１】
次に、本発明の別の実施例を図６に基づいて説明する。
図６の（イ）は軒樋吊具の斜視説明図、（ロ）は枯葉よけネットを上方から軒樋吊具の円筒形の係止突部に嵌める状態を示す説明図、（ハ）は軒樋吊具を軒先に取り付け、軒樋吊具の枯葉よけネットと軒樋とを取り付けた状態を示す断面説明図である。
本発明の別の実施例の構造と作用については、図２に示した他の実施例とは、軒樋吊具の係止突部の構造はほとんど同じで、枯葉よけネットの係止突部への取付方法と、取り付けられた状態とが異なるだけで、異なった取付方法を説明し、その他の構造と作用については、ほとんど同様であり、構造と作用についての説明は省略する。
【００４２】
軒樋吊具１ａと枯葉よけネット２と軒樋３との取付方法は、円筒形の枯葉よけネット２の開口部を上方向より軒樋吊具１ａの円筒形の係止突部１７ａに被せるようにして嵌め、円筒形の係止突部１７ａの外側に取り付ける。
このようにすると、円筒形の枯葉よけネット２の両端部で係止突部１７ａの下部を挟んで、軒樋吊具１ａに枯葉よけネット２をしっかりと取り付けることができる。
【００４３】
次に、本発明の別の実施例を図７及び図８に基づいて説明する。
図７の（イ）は軒樋吊具の斜視説明図、（ロ）は係止突部の斜視説明図、（ハ）は（イ）のＸ−Ｘ線切断端面図、図８は軒樋吊具を軒先に取り付け、軒樋吊具の枯葉よけネットと軒樋とを取り付けた状態を示す斜視説明図である。
本発明の別の実施例の構造と作用については、図１に示した一実施例とは、軒樋吊具の係止突部の形状が異なるだけで、その他の構造と作用については、ほとんど同様であり、下記の構造を除き、その他の構造と作用についての説明は省略する。
【００４４】
軒樋吊具１ｄの支持部材１２ｄは、屋外側先端部に屋外側耳保持部１４ｄと、屋内側部に屋内側耳保持部１５ｄと、屋外側耳保持部１４ｄと屋内側耳保持部１５ｄを一連に繋ぐ腕部１６ｄとからなっている。
この腕部１６ｄのほぼ中央部に長手方向に沿って係止突部１７ｄが設けられている。この係止突部１７ｄは、図７の（ロ）に示すように、両端部に半円形の係止小突部１７１、１７１と、この半円形の係止小突部１７１、１７１の先端に設けられた係止小爪１９１、１９１と、ほぼ中央部の接続部材５と、係止突起６と、係止孔７とからなっている。
【００４５】
軒樋吊具１ｄの腕部１６ｄのほぼ中央部の下面に接続部材５を当て、矢印で示したように、腕部１６ｄを挟むようにして、接続部材５の長手方向にほぼ中央部で折り曲げ、係止突起６が係止孔７に差し込められ、係止小突部１７１、１７１同士合わされて係止突部１７ｄとされ、係止小爪１９１、１９１同士を合わされて係止爪１９ｄとされ、腕部１６ｄに係止突部１７ｄが取り付けられている。
軒先取付部１１ａと支持部材１２ａとは射出成型法で一体成型されている。
【００４６】
軒樋吊具１ｄと枯葉よけネット２と軒樋３との取付方法については、図１に示した一実施例とほとんど同じであり、説明は省略する。
【００４７】
又、作用については、下記の作用を除いて、図１に示した一実施例とほとんど同じであり、説明は省略する。
本発明では、係止突部１７ｄで軒樋吊具１ｄの腕部１６ｄを挟むようにして取り付けることができるので、数多くの軒樋吊具１ｄへの係止突部１７ｄの品揃えの数を少なくすることができ、又、既に施工の終った軒樋吊具にも枯葉よけネットの取付の必要性を判断して、必要な場合は、後からでも係止突部を取り付けることができる。
【００４８】
以上、本発明実施例を図面に基づいて説明してきたが、具体的な構成はこの実施例の限られるものではなく本発明の要旨を逸脱しない範囲の設計変更等があっても本発明に含まれる。例えば、図７の別の実施例で係止突起や係止孔が１個設けられていたが、係止小突部の側壁に複数個設けてもよい。
【００４９】
【発明の効果】
以上、説明してきたように、本発明は、軒先取付部と、この軒先取付部から屋外側に向けて突設された支持部材とからなる軒樋吊具に枯葉よけネットが取り付けられた枯葉よけネット取付構造であって、支持部材は、屋外側耳保持部と、屋内側耳保持部と、屋外側耳保持部と屋内側耳保持部を一連に繋ぐ腕部とからなり、この腕部には、長手方向に沿って上方に向けて突設された係止突部が一体に設けられ、この係止突部に枯葉よけネットが円筒形に丸められて取り付けられているから、支持部材の腕部の係止突部に枯葉よけネットを円筒形に丸めて、枯葉よけネットの径を小さくして取り付け、元に戻すことによって、枯葉よけネットを係止突部の係止爪で枯葉よけネットを引っ掛けて、係止でき、枯葉よけネットを軒樋吊具にしっかりと取り付けることができる。
従って、従来の軒樋の両側の耳部に引掛片付きの受け具を取り付け、両側の引掛片間に軒樋の上面開口を覆う枯葉よけネットを取り付けるものに較べて、取付が簡単で、手間が省くことができる。
【００５０】
又、係止突部が取り付けられている場所が、いずれも軒樋の屋外側側壁の内側にある軒樋吊具の腕部であるので、この係止突部に枯葉よけネットを取り付けると、下方から係止突部と枯葉よけネットは見えず、枯葉よけネットを取り付けた後の美観が良い。
【００５１】
又、枯葉よけネットを円筒形に丸めて係止突部に取り付け、緩めたら、元に戻して、係止突部で枯葉よけネットを係止することができるから、取付後、枯葉よけネットの上部が軒先の先端部に当接し、軒先の先端部と軒樋吊具の屋外側先端部より枯葉やゴミ等が軒樋の中に入ることを防ぐことができる。
【００５２】
枯葉よけネットが円筒形になっているから、枯葉よけネットに枯葉やゴミが溜まっても、枯葉やゴミ等の重さを支え枯葉よけネットが変形せず、軒樋吊具への枯葉よけネットの取付も簡単にできる。
【００５３】
【図面の簡単な説明】
【図１】    （イ）は軒樋吊具の斜視説明図、（ロ）は枯葉よけネットの斜視説明図（ハ）は軒樋吊具を軒先に取り付け、軒樋吊具の枯葉よけネットと軒樋とを取り付けた状態を示す断面説明図である。
【図２】    （イ）は軒樋吊具の斜視説明図、（ロ）は軒樋吊具を軒先に取り付け、軒樋吊具の枯葉よけネットと軒樋とを取り付けた状態を示す断面説明図である。
【図３】    （イ）は円筒形の枯葉よけネットの編み目の交点に内側に向けて突設片が設けられた状態を示す断面説明図、（ロ）は隣り合った枯葉よけネットが重なり合った状態を示す断面説明図、（ハ）は隣り合った枯葉よけネットが重なり合った状態を示す斜視説明図である。
【図４】    （イ）は軒樋吊具の断面説明図、（ロ）は軒樋吊具を軒先に取り付け、軒樋吊具の枯葉よけネットと軒樋とを取り付けた状態を示す断面説明図である。
【図５】    （イ）は軒樋吊具の断面説明図、（ロ）は軒樋吊具を軒先に取り付け、軒樋吊具の枯葉よけネットと軒樋とを取り付けた状態を示す断面説明図である。
【図６】    （イ）は軒樋吊具の斜視説明図、（ロ）は枯葉よけネットを上方から軒樋吊具の円筒形の係止突部に嵌める状態を示す説明図、（ハ）は軒樋吊具を軒先に取り付け、軒樋吊具の枯葉よけネットと軒樋とを取り付けた状態を示す断面説明図である。
【図７】    （イ）は軒樋吊具の斜視説明図、（ロ）は係止突部の斜視説明図、（ハ）は（イ）のＸ−Ｘ線切断端面図である。
【図８】    軒樋吊具を軒先に取り付け、軒樋吊具の枯葉よけネットと軒樋とを取り付けた状態を示す斜視説明図である。
【符号の説明】
Ａ、Ｂ、Ｃ、Ｄ、Ｅ、Ｆ                  枯葉よけネット取付構造
１、１ａ、１ｂ、１ｃ、１ｄ              軒樋吊具
１１、１１ａ、１１ｂ、１１ｃ、１１ｄ    軒先取付部
１２、１２ａ、１２ｂ、１２ｃ、１２ｄ    支持部材
１３、１３ａ、１３ｂ、１３ｃ、１３ｄ    取付孔
１４、１４ａ、１４ｂ、１４ｃ、１４ｄ    屋外側耳保持部
１５、１５ａ、１５ｂ、１５ｃ、１５ｄ    屋内側耳保持部
１６、１６ａ、１６ｂ、１６ｃ、１６ｄ    腕部
１７、１７ａ、１７ｂ、１７ｃ、１７ｄ    係止突部
１７１                                  係止小突部
１８                                    開口部
１９、１９ｂ、１９ｃ、１９ｄ            係止爪
１９１                                  係止小爪
２、２ａ                                枯葉よけネット
２１、２１ａ                            開口部
２２                                    突設片
３                                      軒樋
３１                                    屋外側耳部
３２                                    屋内側耳部
４                                      鼻隠し板
５                                      接続部材
６                                      係止突起
７                                      係止孔
【図１】
0003644820.tif 000002
【図２】
0003644820.tif 000003
【図３】
0003644820.tif 000004
【図４】
0003644820.tif 000005
【図５】
0003644820.tif 000006
【図６】
0003644820.tif 000007
【図７】
0003644820.tif 000008
【図８】
0003644820.tif 000009